【手続補正書】
【提出日】平成26年9月24日(2014.9.24)
【手続補正１】
【補正対象書類名】特許請求の範囲
【補正対象項目名】請求項５
【補正方法】変更
【補正の内容】
【請求項５】
前記第２ばね部材の前記光伝送部との当接面は前記仕切り部の法線に対して傾斜を有し、
前記光伝送部の前記第２ばね部材との当接面が前記傾斜に沿っている
請求項４記載のコネクタ。
【手続補正２】
【補正対象書類名】明細書
【補正対象項目名】０００２
【補正方法】変更
【補正の内容】
【０００２】
これまで、機器間の信号伝送は、例えば、ＵＳＢ（Universal Serial Bus，登録商標）やＨＤＭＩ（High-Definition Multimedia Interface，登録商標）等を用い、電気信号によりなされてきた。しかしながら、近年のＭＰＵ（Micro Processing Unit）の高機能化に伴い、データの授受量が著しく増大し、電気伝送では、その容量および速度の面で十分に対応できなくなってきている。
【手続補正３】
【補正対象書類名】明細書
【補正対象項目名】００１１
【補正方法】変更
【補正の内容】
【００１１】
本技術のコネクタでは、電気伝送部と光伝送部とが仕切り部により分離されているので、既存の電気伝送機能のみを有する電子機器に装着する際に、光伝送部は電気伝送用の端子に接触せず、干渉する虞がない。具体的には、電気伝送ハウジングの内側に電気伝送部が、外側に光伝送部が設けられており、電気伝送ハウジングの一部が仕切り部として機能する。本技術の電子機器も、同様に、電気伝送用の端子に干渉することなく、電気伝送機能のみを有する既存のコネクタを装着することができる。
【手続補正４】
【補正対象書類名】明細書
【補正対象項目名】００１６
【補正方法】変更
【補正の内容】
【００１６】
コネクタ１は例えばＨＤＭＩ規格のコネクタである。このコネクタ１は、支持体３０に、電気伝送ハウジング１０（第１ハウジング）および光伝送ハウジング２０（第２ハウジング）を備えている。電気伝送ハウジング１０の内側には電気伝送部１１が収められている。電気伝送ハウジング１０の外側には、電気伝送部１１（第１ハウジング１０）と隣り合う位置に光伝送部２１が配置されている。コネクタ１は、所謂オス型コネクタであり、メス型コネクタ部を有する電子機器（被コネクト機器、例えば後述の図４の電子機器２）に装着されて、電気伝送および光伝送を行うことができるようになっている。
【手続補正５】
【補正対象書類名】明細書
【補正対象項目名】００２２
【補正方法】変更
【補正の内容】
【００２２】
凸部２３は、電子機器への装着時に位置合わせを行うためのものであり、スライダ２２の前端面の両端に２つ設けられている。この凸部２３が、電子機器側の光伝送部に設けられた凹部（図４の凹部２２３）に挿入されて、精確な位置に固定されるようになっている。コネクタ１のレンズ２４と電子機器のレンズ（図４のレンズ２２４）との配置のずれを５０μｍ以下に抑えることが好ましく、１５μｍ以下であることがより好ましい。凸部２３は、略円錐状あるいは円錐台状であり、スライダ２２から離れるにつれて円断面の直径が小さくなるテーパ形状を有している。凹部への挿入を容易にするためである。凸部２３は、例えば、スライダ２２の前端面より１ｍｍ程度突出している。
【手続補正６】
【補正対象書類名】明細書
【補正対象項目名】００２６
【補正方法】変更
【補正の内容】
【００２６】
図４（Ａ）は、コネクタ１が装着される電子機器２の外観を表している。電子機器２はノート型パーソナルコンピュータであり、例えば、本体２００，文字等の入力操作のためのキーボード２００Ｋおよび画像を表示する表示部２００Ｄを有しており、本体２００にコネクタ１とは逆タイプのコネクタ部２００Ｃ（メス型コネクタ部）が設けられている。図４（Ｂ）に示したように、このコネクタ部２００Ｃは、コネクタ１とほぼ同様の構成であり、電気伝送ハウジング２１０に電気伝送部２１１、光伝送ハウジング２２０に光伝送部２２１がそれぞれ収容されている。即ち、電子機器２は、光伝送機能を有するコネクタ１を装着可能であり、かつ、既存の電気伝送機能のみを有するコネクタも装着することができる。このコネクタ部２００Ｃは、電気伝送ハウジング２１０がコネクタ１の電気伝送ハウジング１０（電気伝送部１１）を収容可能な凹状である点および光伝送部２２１には凸部２３に代えて、凹部２２３（位置規制部）が設けられている点でコネクタ１と異なっている。凹部２２３は、深さ方向において直径が変化しないものであってもよく、あるいは凸部２３に対応したテーパ状であってもよい。
【手続補正７】
【補正対象書類名】明細書
【補正対象項目名】００３１
【補正方法】変更
【補正の内容】
【００３１】
このコネクタ１では、電気伝送ハウジング１０を電子機器２の電気伝送ハウジング２１０へ嵌合させると、コネクタ１の電気伝送部１１が電子機器２の電気伝送部２１１に接続し、電気伝送がなされ、加えて以下のように光伝送がなされる。電気伝送ハウジング１０と電気伝送ハウジング２１０とが接続されると、図９（Ａ）に示したように、光伝送部２１と光伝送部２２１とが近づき、光伝送経路は光伝送ハウジング２０に収容される（図５（Ｂ））。続いて、図９（Ｂ）に示したように、凸部２３が凹部２２３に挿入されて、複数のレンズ２４各々とレンズ２２４との精確な位置合わせが行われ、固定される。このとき、スライダ２２，２２２のレンズ２４，２２４が配置された領域は両端よりも後退しているため、レンズ２４とレンズ２２４とは接触せず、スライダ２２，２２２が当接することにより密閉される。この状態で、電子機器２（レンズ２２４）から光（平行光）が出射されると、この光は密閉空間を伝播し、レンズ２４で光伝送体の端部に集光される。更に光伝送体内を伝わり、その先に接続された相手方の電子機器に入力される。この相手方の電子機器から、電子機器２へ光信号が入力される場合も同様である。ここでは、光伝送部２１が、電気伝送部１１が設けられた電気伝送ハウジング１０の外側に設けられているので、光伝送部を持たない、既存の電気伝送機能のみの電子機器（被コネクト機器）にも装着することができる。以下、これについて比較例を用いつつ説明する。
【手続補正８】
【補正対象書類名】明細書
【補正対象項目名】００３３
【補正方法】変更
【補正の内容】
【００３３】
これに対し、本実施の形態のコネクタ１では、光伝送部２１が、電気伝送ハウジング１０の外側に設けられているので、電気伝送ハウジング１０の電気伝送部１１の電気配線の配置を変更する必要がなく、また、電子機器２Ａへの装着時にも光伝送部２１の部品が電気伝送部２１１の電気配線に干渉する虞がない。即ち、下位互換性が保証される。
【手続補正９】
【補正対象書類名】明細書
【補正対象項目名】００４８
【補正方法】変更
【補正の内容】
【００４８】
なお、本技術は、以下のような構成も可能である。
（１）電気伝送部および光伝送部と、前記電気伝送部と前記光伝送部との間に設けられた仕切り部とを備えたコネクタ。
（２）前記電気伝送部は第１ハウジングの内側、前記光伝送部は前記第１ハウジングの外側にそれぞれ設けられ、前記仕切り部は前記第１ハウジングの一部により構成されている前記（１）記載のコネクタ。
（３）前記光伝送部は光伝送経路の一端にレンズを有すると共に、前記光伝送部がスライド可能な第２ハウジングを有し、前記レンズは前記第２ハウジングの前面よりも突出した第１の位置に配置され、被コネクト機器への装着時に前記第２ハウジングの内部の第２の位置まで後退する前記（２）記載のコネクタ。
（４）前記光伝送部を第２の位置から第１の位置方向へ付勢する第１ばね部材と、第１の位置で停止させる第２ばね部材とを有する前記（３）記載のコネクタ。
（５）前記第２ばね部材の前記光伝送部との当接面は前記仕切り部の法線に対して傾斜を有し、前記光伝送部の前記第２ばね部材との当接面が前記傾斜に沿っている前記（４）記載のコネクタ。
（６）前記第１ハウジング、前記第２ハウジング、前記第１ばね部材および前記第２ばね部材は一体化されている前記（４）または（５）に記載のコネクタ。
（７）前記レンズは前記光伝送部の前端面に設けられ、前記光伝送部の上面から前端面を覆う保護カバーを有し、前記保護カバーは、前記光伝送部が第１の位置に配置されている時に、上方向に前記光伝送部から離間した傾斜部を有すると共に前記レンズとの対向位置よりも上部に開口を有し、前記レンズを保護する前記（３）乃至（６）のうちいずれか１つに記載のコネクタ。
（８）前記保護カバーは、前記光伝送部が第２の位置に後退する際に前記傾斜部が前記第２ハウジングの内壁面に当接して下降し、前記開口が前記レンズに対向する前記（７）記載のコネクタ。
（９）前記光伝送部は被コネクト機器への装着時の位置決めを行う、位置規制部を有する前記（１）乃至（８）のうちいずれか１つに記載のコネクタ。
（１０）前記位置規制部は、テーパ状の凸部である前記（９）記載のコネクタ。
（１１）装着されるコネクタと逆タイプのコネクタ部を有し、前記コネクタ部は、電気伝送部および光伝送部と、前記電気伝送部と前記光伝送部との間に設けられた仕切り部とを備えた電子機器。
【手続補正１０】
【補正対象書類名】図面
【補正対象項目名】図１
【補正方法】変更
【補正の内容】
【図１】
2013098063.tif 000001